【事件の表示】
　特願２０１０−５０１３０８「複数色組合せの視力補正用使い捨て型コンタクトレンズ」拒絶査定不服審判事件〔平成２１年１１月　５日国際公開、ＷＯ２００９／１３３５８７〕について、次のとおり審決する。
【結　論】
　本件審判の請求は、成り立たない。
【理　由】
１．手続の経緯・本願発明
　本願は、２００８年４月３０日を国際出願日とする出願であって、原審においてなされた拒絶査定に対して、平成２２年１１月３日付けで審判請求がなされ、当審において、平成２４年１月５日付けで通知した拒絶の理由に対して、同年３月１日付けで手続補正書および意見書が提出されたものである。
　
　本願の請求項１〜１１に係る発明は、上記手続補正書により補正された特許請求の範囲の請求項１〜１１に記載された事項により特定されるとおりのものと認められるところ、その請求項１に記載された発明（以下、「本願発明１」という。）は次のとおりである。
　
　「【請求項１】
　装用時間が指定されており、使用者において定期的に従前のものを捨てて新たなものに交換されることで左右一対のコンタクトレンズが順次に使い捨て使用される視力補正用の使い捨て型コンタクトレンズであって、
　同じ視力補正特性を有し且つ色を異ならせたものの組み合わせによって構成された複数種類のコンタクトレンズの組み合わせからなり、同じ使用者に対して一年に四季に相当する４回の交換時期毎に該コンタクトレンズの色を異ならせて提供されるものであると共に、
　それら各コンタクトレンズが収容された個別パッケージの外観により収容された該コンタクトレンズの色の相違を識別可能とされていることを特徴とする複数色組合せの視力補正用使い捨て型コンタクトレンズ。」
　
２．引用例
　これに対して、当審の拒絶の理由で引用した、
・電子的技術情報Ａ：CIBA VISION Launches FreshLook(R) Fashion Color Collection Gift Offer, [Press Release], [online], CIBA VISION, 2004.5.21, [Retrieved from the Internet on 2008.09.01 ], URL:http://www.us.cibavision.com/media_room/release_05212004.shtml、
・刊行物１：特開平８−１７３２２８号公報、 
・刊行物２：実用新案登録第３０２６５９７号公報、
・刊行物３：特開平１０−３１９３５５号公報 
は、本願出願前に刊行物として頒布されたか、または電気通信回線を通じて公衆に利用可能となったものと認められ、以下の事項が記載または開示されている。
　
（１）電子的技術情報Ａ
　電子的技術情報Ａは、インターネットのホームページに掲載された情報であって、（そのプリントアウトは、引用非特許文献（文献番号：Ｎ６−０８−０４６３３２）として特許庁にて蓄積されている。以下、「チバビジョンのプレスリリース（２００４年５月２１日付け）」という。）その抜粋は、次のとおりである。
　 
　「Released 05/21/2004 
CIBA VISION Launches FreshLook(R) Fashion Color Collection Gift Offer  
　 
ATLANTA - To increase eye care professionals' color contact lens business, CIBA VISION has launched the FreshLook Fashion Color Collection promotion in the United States and Canada, providing a free wardrobe of color contact lenses to purchasers. Through the end of the year, patients who buy four or more boxes of FreshLook(R) color contact lenses or Focus(R)Softcolors(R)will receive the FreshLook Fashion Color Collection which consists of three different pairs of opaque or enhancer colors in the patient's prescription. 
　 
Dark-eyed patients will receive FreshLook Fashion Color Collection gift packs with Freshlook ColorBlends(R)True Sapphire, Pure Hazel and Green shades; ・・・（中略）・・・. 
 　 
Consumer research shows that gift with purchase promotions are among the most appealing to prospective color lens patients because they provide a high value incentive and a risk free way to experiment with different shades. Research also shows that many patients who try new shades will return to the same eye care professional to obtain replacement lenses. 」 
 　 
　なお、上記の(R)の原文はいわゆる丸数字のRである。
　 
（当審による日本語訳） 
　「２００４年５月２１日公表 
チバビジョンは、フレッシュルック（FreshLook(R)）・ファッション・カラー・コレクションの贈り物の提供を開始する。
　 
アトランタ　−　眼のケア専門家のカラーコンタクトレンズ事業を拡大させるため、チバビジョンは、米国とカナダにおいて、購入者に対してカラーコンタクトレンズの無料衣装を提供することで、『フレッシュルック・ファッション・カラー・コレクション』の推進を開始した。本年末にかけて、フレッシュルック（ FreshLook(R)）のカラーコンタクトレンズ又はフォーカス（Focus(R)）ソフトカラーズ（Softcolors(R)）を４箱以上購入した患者は、患者の処方箋において、３つの異なる、不透明な又は高める色の対からなるフレッシュルック・ファッション・カラー・コレクションを受け取ることになる。 
　
濃い眼の患者は、ツルー・サファイア(True Sapphire)の色合い、ピュア・ヘーゼル(Pure Hazel)の色合い及びグリーン(Green) の色合いのフレッシュルック・カラーブレンズ（Freshlook ColorBlends(R)）が入った、フレッシュルック・ファッション・カラー・コレクションの贈り物包みを受け取る。・・・（中略）・・・。 
　 
消費者調査によれば、『購入に伴う贈り物』の推進は、高い価値のインセンティブと、異なる色合いを試行するリスク無しの方法とを提供するので、将来にカラーレンズを使用する患者に対して最もアピールする推進策の一つである。また調査の示すところによれば、新しい色合いを試そうとする多くの患者が、取り替え用レンズを得ようとして同じアイケアの専門家のもとに戻ってくる。」 
　
　ここで、さらに、URL:http://www.freshlook.jp/2week.htmlの「カラーコレクション」の説明をみると（特許庁における２００８年８月２９日付けのプリントアウトを参照）、 
　「フレッシュルック(R)カラーブレンド／カラー 
　　カラーコレクション 
　　３色×２枚入り　オーブン価格 
　　→ユーザ向け添付文書」 
との記載があり（これもまた、チバビジョンのホームページに掲載されたものである）、 
　特許庁で得られた当該プリントアウトは、本願出願後のものであるものの、当該記載の「フレッシュルック(R)カラーブレンド／カラー　カラーコレクション」は、上記「チバビジョンのプレスリリース（２００４年５月２１日付け）」の『フレッシュルック・ファッション・カラー・コレクション』に符合するといえるから、当該プレスリリース中の「患者の処方箋において、３つの異なる、不透明な又は高める色の対からなるフレッシュルック・ファッション・カラー・コレクション」が「３色×２枚入り」のものであったことを、再確認することができる。 
　 
　したがって、「チバビジョンのプレスリリース（２００４年５月２１日付け）」によれば、次の発明（以下、「プレスリリースに掲載された発明」という。）は、本願出願前に公知であった、あるいは公用されたと認められる。 
　「所定のカラーコンタクトレンズを４箱以上購入した患者が贈り物として受け取ることができる、フレッシュルック・ファッション・カラー・コレクションであって、 
　当該コレクションが、患者の処方箋において、３つの異なる、不透明な又は高める色の対からなるものである、 
　フレッシュルック・ファッション・カラー・コレクション。」 
 
（２）刊行物１ 
　刊行物１には、次の記載がある。なお、以下の下線は当審で付した。 
　 
　「【００１３】 
 【実施例】以下、本発明の実施例を図面に基づいて説明する。図２は本発明の第１の実施例であるコンタクトレンズの収納容器の側面図である。収納容器１は、全体が耐熱性の合成樹脂で形成されており、主に、基台２、収納部３および収納部４から構成されている。
収納部３および収納部４は、それぞれ色分けあるいは文字表示等によって、朝に装用するコンタクトレンズの収納部と取り替え用のコンタクトレンズの収納部とが識別できるようになっている
 　 
　「【００２６】このように、本実施例では、収納部３および収納部４を一体に設け、それぞれ左右１組単位のコンタクトレンズを収納するようにしたので、予備のコンタクトレンズを携帯することができる。このため、汚れの付着などにより現在装用しているコンタクトレンズを取り外しても、洗浄等の手間をかけることなく、常に清潔なコンタクトレンズを装用し続けることができる。」 
 　 
　「【００２９】なお、本実施例では、左右のコンタクトレンズを特に外見で識別できるようにしなかったが、
左右のコンタクトレンズの仕様が異なる場合には、外見で識別できることが望ましい
このうち２枚は右目用の青色レンズ、残りの２枚は左目用の無色レンズとした
 【００３０】そして、各レンズのパラメータを測定して左右の取り違え率を調べた結果、上述のように片方のレンズを着色した場合にはパネラー１０人全員が取り違えを全くせず、着色をしない場合には、３人により合計５組のレンズが取り違えられていた。これにより、左右のレンズを外見で識別できるようにすることにより、取り違えの防止が可能なことが実証された。」　
（３）刊行物２ 
　「【実用新案登録請求の範囲】 
【請求項１】 眼鏡レンズの外周に形成された溝に、有色線条材を無端環状に連結してなる有色線条リングが嵌装され、前記有色線条リングの連結部部位が智あるいはブリッヂ部分に位置するように形成された、
眼鏡
　 
　「 【００３２】 
【考案の効果】 
　請求項１ないし４の考案によれば、眼鏡レンズに極めて容易にカラーリングを行うことができ、また、
有色線条リングの色を変えることにより、複数のカラーリングを行うことができる
有色線条リングを取り替えることにより
季節に応じてカラーを変えて楽しむことができる
　また、カラーフレームやカラーレンズを用いるよりも、レンズを通して有色線条リングの色が見えるので、目立たないさりげない色となり、上品なおしゃれな眼鏡を得ることができる。」 
 　 
（４）刊行物３ 
　「【請求項１】 眼鏡のフレームの鼻との接触部に固定され、鼻に当接されることにより眼鏡を鼻の上に支持する眼鏡用パッドにおいて、 
 硬質板片と軟質板片との間に所定の大きさの空洞部が設けられつつ、該硬質板片と該軟質板片とが接合されることにより形成され、該軟質板片側が前記鼻に当接されることを特徴とする
眼鏡用パッド
　 
　「【００４８】また、柔軟な材質の合成樹脂をその形状に切断したものを、既製の眼鏡のパッドに装着してもよい。この場合、
柔軟な材質の部分は、互換性があるため、その色や、材質等を季節や用途に合わせて変化させることもできる
　
３．対比
　本願の請求項１に係る発明（以下、「本願発明１」という。）と、プレスリリースに掲載された発明とを対比する。 
　プレスリリースに掲載された発明の「当該コレクションが、患者の処方箋において、３つの異なる、不透明な又は高める色の対からなるものである」は、３対のカラーコンタクトレンズからなり、カラーコンタクトレンズの色が対ごとに異なるものであり、しかも、どのカラーコンタクトレンズも、その患者の処方箋に従った視力補正特性を備えているといえ、また、各対のカラーコンタクトレンズは、左眼用および右眼用の対のものであることは当然であるから、それは、本願発明１の「左右一対のコンタクトレンズ」および「同じ視力補正特性を有し且つ色を異ならせたものの組み合わせによって構成された複数種類のコンタクトレンズの組み合わせ」に相当する。 
　また、プレスリリースに掲載された発明の「フレッシュルック・ファッション・カラー・コレクション」と、本願発明１の「複数色組合せの視力補正用使い捨て型コンタクトレンズ」とは、「複数色組合せの視力補正用コンタクトレンズ」の点で共通する。 
　なお、プレスリリースに掲載された発明は、販売促進用の無料の贈り物であるが、本願発明１は、有料の商品を前提にしているかもしれない。しかし、有料か無料かは、物の発明として何の差異も生じない。 
　 
　してみると、両発明の一致点、相違点は次のとおりと認められる。 
　 
［一致点］ 
　「同じ視力補正特性を有し且つ色を異ならせたものの組み合わせによって構成された複数種類のコンタクトレンズの組み合わせからなる、複数色組合せの視力補正用コンタクトレンズ。」 
　 
［相違点１］ 
　複数色組合せの視力補正用コンタクトレンズが、 
　本願発明１は、装用時間が指定されており、使用者において定期的に従前のものを捨てて新たなものに交換されることで左右一対のコンタクトレンズが順次に使い捨て使用される視力補正用の使い捨て型コンタクトレンズであって、同じ使用者に対して一年に四季に相当する４回の交換時期毎に該コンタクトレンズの色を異ならせて提供されるものであるのに対して、 
　プレスリリースに掲載された発明は、所定のカラーコンタクトレンズを４箱以上購入した患者が贈り物として受け取ることができ、３つの異なる、不透明な又は高める色の対からなるものである点。
　 
［相違点２］ 
　本願発明１は、それら各コンタクトレンズが収容された個別パッケージの外観により収容された該コンタクトレンズの色の相違を識別可能とされているのに対して、 
　プレスリリースに掲載された発明は、パッケージについて特定されていない点。
　
４．当審の判断 　 
　上記相違点について検討する。 
　 
（相違点１について）
　本願発明１の「同じ使用者に対して一年に四季に相当する４回の交換時期毎に該コンタクトレンズの色を異ならせて提供されるものである」の記載は、販売手法などの人為的な取り決め、すなわち、いわゆるビジネスモデルに関する記載である。
　一般に、人為的な取り決めを特許請求の範囲に記載することは、出願人の自由であるとしても、人為的な取り決めに関する事項が、物の発明になんら影響を与えないことが明らかなときは、物の発明を実質的に特定していないと解することが妥当である。
　本件の場合、本願発明１の「同じ使用者に対して一年に四季に相当する４回の交換時期毎に該コンタクトレンズの色を異ならせて提供されるものである」の記載から、複数色組合せの視力補正用コンタクトレンズという物の発明における形状、構造、組成、物性等として、具体的に把握できる事項は、以下の（１）（２）の２点のみである。
　（１）複数色組合せの視力補正用コンタクトレンズが、一年の四季に相当する４色の組合せからなる点が把握される。ただし、本願明細書の【００１４】【００４１】【００５４】の記載によれば、一年の四季に相当する４色は、使用者や提供者の感性や好みによって合計４色が選択されるというものであり、これら本願明細書の記載を参酌しても、本願発明１では、一年の四季に相当する色が具体的に特定されず、単に色違いの４色からなる視力補正用使い捨て型コンタクトレンズであるという把握に留まる。
　（２）一年に四季に相当する４回交換される使い捨て型であることから、装用時間（使用期間）が３ヶ月程度であるように材料等が選択されて構成されている点も、把握可能である。
　したがって、プレスリリースに掲載された発明には上記（１）（２）がない点が、実質的な相違点１である。
　 
　そこで、（１）（２）について検討する。
　
　（１）について。
　プレスリリースに掲載された発明は、複数色組合せの視力補正用コンタクトレンズが、３つの異なる、不透明な又は高める色の対からなるものであるところ、当業者であれば、３つの色数を４つの色数に変更する程度のことは、容易になし得ることである。
　また、刊行物２，３には、コンタクトレンズではないが、眼鏡において、季節に応じてカラーを変えて楽しむことができるように、線条リングや鼻パッドの色を取り替える技術が記載されている（なお、眼鏡レンズは、取り替える頻度が低いが、線条リングや鼻パッドは、値段も安く気軽に取り替えができるといえる）。そして、コンタクトレンズと眼鏡とは、視力補正の道具として共通しており、また、使い捨てのコンタクトレンズは取り替える頻度が高いことから、プレスリリースに掲載された発明コンタクトレンズにおいて、四季に応じた４つのレンズ色を揃えることは、当業者ならば難なく発想することである。
　
　（２）について。
　一般に、装用時間（使用期限）が３ヶ月程度であるように構成されている使い捨て型のコンタクトレンズは、文献を示すまでもなく、周知のものであり、これを参考にして、プレスリリースに掲載された発明において、カラーコンタクトレンズを、装用時間（使用期限）が３ヶ月程度であるように構成されている使い捨て型のものとすることは、当業者が容易になし得ることである
　
　したがって、プレスリリースに掲載された発明において、「複数色組合せの視力補正用コンタクトレンズ」を相違点１に係る本願発明１のごとく構成することは、当業者が容易になし得ることである。
　 
（相違点２について） 
　一般にコンタクトレンズを個別パッケージに収納することは、本願明細書の【００４９】に個別パッケージに収納する公知例が開示されているように、周知の技術である。 
　また、刊行物１には、複数対のコンタクトレンズ（対毎に用途や色が異なる）を使用者が識別できるように、対のコンタクトレンズを収納する収納部に色分けあるいは文字表示等を行う技術が記載されている。　 
　そうすると、プレスリリースに掲載された発明において、周知の技術、刊行物１の技術を参考にして、本願発明１のごとく、各対のコンタクトレンズを個別パッケージに収納するとともに、個別パッケージの外観（色や文字表示など）により収容された該コンタクトレンズの色の相違を識別可能とすることは、当業者が容易になし得ることである。 
　 
（効果について） 
　本願発明１によって請求人が主張するような効果があるとしても、その効果は、複数色組合せの視力補正用使い捨て型コンタクトレンズという物の発明について構成の容易想到性が十分に論理付けられる以上、格別なものということはできない。 
　 
（まとめ） 
　したがって、本願発明１は、プレスリリースに掲載された発明、刊行物１の技術、周知技術に基づいて当業者が容易に発明をすることができたものである。
　
５．むすび　　
　以上のとおりであるから、本願の請求項１に係る発明は、特許法第２９条第２項の規定により特許を受けることができないので、他の請求項について検討するまでもなく、本願は拒絶すべきものである。
　よって、結論のとおり審決する。